(57)【要約】【課題】エレベータの据付作業を行うための足場をより安全かつ効率良く設置することができるエレベータの据付装置、及びこの据付装置の組立方法の提供。【解決手段】本発明は、乗場１Ａから昇降路２へ通じる出入口２Ａの間口寸法以下の幅寸法を有し、途中階の乗場１Ａから昇降路２に水平に設けられ、エレベータ３の据付作業が行われる足場を形成する作業床部１１と、この作業床部１１のうち重心よりも昇降路２側に設けられ、作業床部１１が吊持される吊持穴部１２と、作業床部１１が昇降路２側から乗場１Ａ側へ移動するのを規制するストッパー部１３とを備え、作業床部１１の昇降路２側の部分が吊持穴部１２を介して乗場１Ａ側から昇降路２側へ吊持された状態で、作業床部１１の乗場１Ａ側の端部をストッパー部１３に当接させ、作業床部１１を乗場１Ａの床と、昇降路２の内側面を形成する躯体の梁２ａとの間に掛け渡すようにした。【選択図】図２
2015157701.tif 000002
【特許請求の範囲】
【請求項１】
複数の階床を有する乗場と、この乗場に隣接して設けられた昇降路とを備えたエレベータの据付作業に用いられるエレベータの据付装置において、
前記乗場から前記昇降路へ通じる出入口の間口寸法以下の幅寸法を有し、最下階と最上階との間の途中階の前記乗場から前記昇降路に水平に設けられ、前記エレベータの据付作業が行われる足場を形成する作業床部と、
この作業床部のうち重心よりも前記昇降路側に設けられ、前記作業床部が吊持される吊持穴部と、
前記作業床部が前記昇降路側から前記乗場側へ移動するのを規制するストッパー部とを備え、
前記作業床部の前記昇降路側の部分が前記吊持穴部を介して前記乗場側から前記昇降路側へ吊持された状態で、前記作業床部の前記乗場側の端部を前記ストッパー部に当接させ、前記作業床部を前記乗場の床と、前記昇降路の内側面を形成する躯体の梁との間に掛け渡すようにしたことを特徴とするエレベータの据付装置。
【請求項２】
請求項１に記載のエレベータの据付装置において、
前記作業床部の床面積よりも大きな面積に設定され、前記昇降路の空間部分の横断面を覆うように前記作業床部上に配置された作業台と、
この作業台を前記作業床部に固定する固定部とを備えたことを特徴とするエレベータの据付装置。
【請求項３】
複数の階床を有する乗場と、この乗場に隣接して設けられた昇降路とを備えたエレベータの据付作業に用いられるエレベータの据付装置の組立方法において、
前記エレベータの据付装置は、前記乗場から前記昇降路へ通じる出入口の間口寸法以下の幅寸法を有し、最下階と最上階との間の途中階の前記乗場から前記昇降路に水平に設けられ、前記エレベータの据付作業が行われる足場を形成する作業床部と、この作業床部のうち重心よりも前記昇降路側に設けられ、前記作業床部が吊持される吊持穴部と、前記作業床部が前記昇降路側から前記乗場側へ移動するのを規制するストッパー部とを備え、
前記ストッパー部を前記途中階の前記乗場に設ける第１手順と、
前記吊持穴部を介して前記作業床部の前記昇降路側の部分を前記乗場側から前記昇降路側へ吊持する第２手順と、
これらの第１手順及び第２手順が行われた後、前記作業床部の前記乗場側の端部を前記ストッパー部に当接させ、前記作業床部を前記乗場の床と、前記昇降路の内側面を形成する前記躯体の梁との間に掛け渡す第３手順とを行うことにより前記エレベータの据付装置を組立てることを特徴とするエレベータの据付装置の組立方法。
【請求項４】
請求項３に記載のエレベータの据付装置の組立方法において、
前記エレベータの据付装置は、
前記作業床部の床面積よりも大きな面積に設定され、前記昇降路の空間部分の横断面を覆うように前記作業床部上に配置された作業台と、
この作業台を前記作業床部に固定する固定部とを備え、
前記昇降路の空間部分の横断面を覆うように前記作業台を前記作業床部上に配置し、前記作業台を前記固定部で前記作業床部に固定する第４手順をさらに行うことにより前記エレベータの据付装置を組立てることを特徴とするエレベータの据付装置の組立方法。
【発明の詳細な説明】
【技術分野】
【０００１】
本発明は、エレベータの据付作業に用いられるエレベータの据付装置、及びこの据付装置の組立方法に関する。
【背景技術】
【０００２】
従来より、エレベータの据付作業では、据付対象となる建屋内のエレベータ昇降路の全高及び機械室の躯体造作が完了した後に、エレベータの据付を行うのが最も安全かつ効率的である。しかし、近年のビルの超高層化に伴い、発注者よりエレベータの早期完成が要請され、エレベータの全高及び機械室の躯体が完成される前に、最下階と最上階との間の途中階の乗場より下方でエレベータの据付を先行して行うことによりエレベータの完成時期を早め、このエレベータを利用することで建物全体の工期を早める必要性が生じている。
【０００３】
一方、現在行われているエレベータの据付作業では、昇降路内に足場を必要としない、いわゆる「足場無し工法」が採用されているので、昇降路内に足場は設置されていない。従って、このような条件下で途中階の乗場から上方へエレベータの据付を行うためには、この途中階の乗場から昇降路へ足場を設置する必要がある。
【０００４】
そこで、昇降路に足場を設置する従来技術の１つとして、鉄骨柱、鉄骨梁等からなる鉄骨造の多層の建物躯体を構築しながら、エレベータシャフトとなる部分以外の部分の周囲を含む鉄骨梁上の所定の部分にデッキプレート、プレキャストコンクリート板等の板体を載設し、かつエレベータシャフトとなる部分の両側に位置する鉄骨梁間に複数の支持梁を配し、各支持梁の両端部を鉄骨梁に着脱可能に支持させ、支持梁の上側に板状体を着脱可能に取付けたエレベータシャフト及びエレベータの組立施工法が提案されている（例えば、特許文献１参照）。
【先行技術文献】
【特許文献】
【０００５】
【特許文献１】特許第３２４０４９１号公報
【発明の概要】
【発明が解決しようとする課題】
【０００６】
しかし、上述した特許文献１に開示された従来技術のエレベータシャフト及びエレベータの組立施工法は、各支持梁の上側の板状体がエレベータシャフトとなる部分を各層毎に塞ぐことにより、作業者がエレベータシャフト内で作業を行う際の安全が図られているが、各支持梁及び板状体の配設作業における安全性についてまでは、十分に考慮されていない。従って、このようなエレベータの据付作業が行われる足場を安全に設置するために、作業者はより注意を払う必要があるので、足場の設置作業に多くの時間を費やすことが懸念されている。
【０００７】
本発明は、このような従来技術の実情からなされたもので、その目的は、エレベータの据付作業を行うための足場をより安全かつ効率良く設置することができるエレベータの据付装置、及びこの据付装置の組立方法を提供することにある。
【課題を解決するための手段】
【０００８】
上記の目的を達成するために、本発明のエレベータの据付装置は、複数の階床を有する乗場と、この乗場に隣接して設けられた昇降路とを備えたエレベータの据付作業に用いられるエレベータの据付装置において、前記乗場から前記昇降路へ通じる出入口の間口寸法以下の幅寸法を有し、最下階と最上階との間の途中階の前記乗場から前記昇降路に水平に設けられ、前記エレベータの据付作業が行われる足場を形成する作業床部と、この作業床部のうち重心よりも前記昇降路側に設けられ、前記作業床部が吊持される吊持穴部と、前記作業床部が前記昇降路側から前記乗場側へ移動するのを規制するストッパー部とを備え、前記作業床部の前記昇降路側の部分が前記吊持穴部を介して前記乗場側から前記昇降路側へ吊持された状態で、前記作業床部の前記乗場側の端部を前記ストッパー部に当接させ、前記作業床部を前記乗場の床と、前記昇降路の内側面を形成する躯体の梁との間に掛け渡すようにしたことを特徴としている。
【０００９】
また、本発明のエレベータの据付装置の組立方法は、複数の階床を有する乗場と、この乗場に隣接して設けられた昇降路とを備えたエレベータの据付作業に用いられるエレベータの据付装置の組立方法において、前記エレベータの据付装置は、前記乗場から前記昇降路へ通じる出入口の間口寸法以下の幅寸法を有し、最下階と最上階との間の途中階の前記乗場から前記昇降路に水平に設けられ、前記エレベータの据付作業が行われる足場を形成する作業床部と、この作業床部のうち重心よりも前記昇降路側に設けられ、前記作業床部が吊持される吊持穴部と、前記作業床部が前記昇降路側から前記乗場側へ移動するのを規制するストッパー部とを備え、前記ストッパー部を前記途中階の前記乗場に設ける第１手順と、前記吊持穴部を介して前記作業床部の前記昇降路側の部分を前記乗場側から前記昇降路側へ吊持する第２手順と、これらの第１手順及び第２手順が行われた後、前記作業床部の前記乗場側の端部を前記ストッパー部に当接させ、前記作業床部を前記乗場の床と、前記昇降路の内側面を形成する前記躯体の梁との間に掛け渡す第３手順とを行うことにより前記エレベータの据付装置を組立てることを特徴としている。
【発明の効果】
【００１０】
本発明のエレベータの据付装置、及びこの据付装置の組立方法によれば、エレベータの据付作業を行うための足場をより安全かつ効率良く設置することができる。前述した以外の課題、構成及び効果は、以下の実施形態の説明により明らかにされる。
【図面の簡単な説明】
【００１１】
【図１】本発明の第１、第２実施形態に係るエレベータの据付装置が組立てられる据付前のエレベータ全体の構成を説明する図である。
【図２】本発明の第１、第２実施形態に係るエレベータの据付装置が昇降路に組立てられた状態を示す図である。
【図３】本発明の第１実施形態に係るエレベータの据付装置の作業床部の構成を説明する図であり、（ａ）図は鋼板が取り付けられる前の状態を示す平面図、（ｂ）図は鋼板が取り付けられる前の状態を示す側面図である。
【図４】本発明の第１実施形態に係るエレベータの据付装置の作業床部の構成を説明する図であり、（ａ）図は網板が取り付けられた状態を示す平面図、（ｂ）図は鋼板が取り付けられた状態を示す側面図である。
【図５】本発明の第１実施形態に係るエレベータの据付装置の作業床部とストッパー部の構成、及びこの据付装置の組立方法の第１手順を説明する図である。
【図６】本発明の第１実施形態に係るエレベータの据付装置の組立方法の第２手順を説明する平面図であり、チェーンブロックのチェーンを吊持穴部に装着した状態を示す図である。
【図７】本発明の第１実施形態に係るエレベータの据付装置の組立方法の第２手順を説明する側面図であり、チェーンブロックのチェーンを吊持穴部に装着した状態を示す図である。
【図８】本発明の第１実施形態に係るエレベータの据付装置の組立方法の第２手順を説明する平面図であり、チェーンブロックのチェーンを引き上げた状態を示す図である。
【図９】本発明の第１実施形態に係るエレベータの据付装置の組立方法の第２手順を説明する側面図であり、チェーンブロックのチェーンを引き上げた状態を示す図である。
【図１０】本発明の第１実施形態に係るエレベータの据付装置の組立方法の第３手順を説明する側面図であり、チェーンブロックのチェーンを引き下げた状態を示す図である。
【図１１】本発明の第１実施形態に係るエレベータの据付装置の組立方法の第３手順を説明する平面図であり、作業床部を乗場の床と、昇降路の内側面を形成する躯体の梁との間に掛け渡した状態を示す図である。
【図１２】本発明の第１実施形態に係るエレベータの据付装置の組立方法の第３手順を説明する側面図であり、作業床部を乗場の床と、昇降路の内側面を形成する躯体の梁との間に掛け渡した状態を示す図である。
【図１３】本発明の第１実施形態に係るエレベータの据付装置の作業台の構成、及びこの据付装置の組立方法の第４手順を説明する平面図であり、中間梁を作業床部上に載置した状態を示す図である。
【図１４】本発明の第１実施形態に係るエレベータの据付装置の作業台の構成、及びこの据付装置の組立方法の第４手順を説明する側面図であり、中間梁を作業床部上に載置した状態を示す図である。
【図１５】本発明の第１実施形態に係るエレベータの据付装置の作業台と固定部の構成、及びこの据付装置の組立方法の第４手順を説明する平面図であり、上床板を中間梁上に載置した状態を示す図である。
【図１６】本発明の第１実施形態に係るエレベータの据付装置の作業台の構成、及びこの据付装置の組立方法の第４手順を説明する側面図であり、上床板を中間梁上に載置した状態を示す図である。
【図１７】本発明の第２実施形態に係るエレベータの据付装置の構成、及びこの据付装置の組立方法の第５手順を説明する平面図であり、防水シートを作業床部の上面全体に敷設した状態を示す図である。
【図１８】本発明の第２実施形態に係るエレベータの据付装置の構成、及びこの据付装置の組立方法の第５手順を説明する側面図であり、防水シートを作業床部の上面全体に敷設した状態を示す図である。
【発明を実施するための形態】
【００１２】
以下、本発明に係るエレベータの据付装置、及びこの据付装置の組立方法を実施するための形態を図に基づいて説明する。
【００１３】
［エレベータの据付装置の第１実施形態］
本発明に係るエレベータの据付装置の第１実施形態は、例えば図１に示すように複数の階床を有する乗場１と、この乗場１に隣接して設けられた昇降路２とを備えたエレベータ３の据付作業に用いられる装置である。このエレベータ３が設置される建物は、例えば４０階以上の上部側の乗場１、昇降路２、及び巻上機４が設置される機械室５の躯体造作が完了しておらず、建築躯体造作中になっている。
【００１４】
図２に示すように、下部側の昇降路２内には、エレベータ３の据付作業において採用される、いわゆる「足場無し工法」で使用する作業用のゴンドラ６、このゴンドラ６と乗かご（図示せず）を鉛直方向に案内する一対のガイドレール７、及びゴンドラ６を懸垂する一対のゴンドラ懸垂用ワイヤーロープ８が設けられている。
【００１５】
また、各階の乗場１の床の下側には、乗場１の床を支持する躯体の梁１ａが設けられており、昇降路２の奥側の内壁面２Ｂのうち各階の躯体の梁１ａの高さ位置と同等の高さ位置には、昇降路２の内側面を形成する複数の躯体の梁２ａがそれぞれ設けられている。なお、図１、図２では、エレベータ３全体を分かり易く図示するために、乗場１の一部の階床を省略している。
【００１６】
本発明の第１実施形態に係るエレベータ３の据付装置１０は、最下階と最上階との間の途中階として、例えば２９階の乗場１Ａから昇降路２に水平に設けられ、図３（ａ）、図３（ｂ）に示すように、エレベータ３の据付作業が行われる足場を形成する作業床部１１と、図４（ａ）に示すように、作業床部１１のうち重心よりも昇降路２側に設けられ、作業床部１１が吊持される吊持穴部１２と、図５に示すように、作業床部１１が昇降路２側から乗場１Ａ側へ移動するのを規制するストッパー部１３とを備えている。
【００１７】
具体的には、作業床部１１は、例えば図２、図３（ａ）、図３（ｂ）に示すように、上述の作業用のゴンドラ６や作業者の荷重を受ける一対の受け梁１１Ａと、これらの受け梁１１Ａを連結する４本の連結材１１Ｂと、図４（ａ）、図４（ｂ）に示すように、各受け梁１１Ａ上に取り付けられる４枚の鋼板１１Ｃと、各受け梁１１Ａのうち昇降路２側の端部の底面に取り付けられ、下方へ突出した脚部１１Ｄとを有している。なお、これらの受け梁１１Ａ、連結材１１Ｂ、鋼板１１Ｃ、及び脚部１１Ｄの部材の数は、上述した場合に限定されるものではない。
【００１８】
図３（ａ）、図３（ｂ）に示すように、各受け梁１１Ａは、例えば断面の大きさが２００×２００ｍｍ程度の大きさに設定され、長さが昇降路２の奥行寸法よりも３００ｍｍ程度長く設定されたＨ鋼から成り、このＨ鋼はゴンドラ６を懸垂可能な強度を有している。各連結材１１Ｂは、例えば乗場１から昇降路２へ通じる出入口２Ａの間口寸法（具体例として、１２００〜１４００ｍｍ）と同等の長さに設定されたＬ鋼から成っている。
【００１９】
そして、作業床部１１は、各受け梁１１Ａと各連結材１１Ｂの端部同士が溶接等で接続されることにより、四辺形状に形成されて足場全体に掛かる荷重を支えることが可能になっている。なお、図示されないが、各受け梁１１Ａには、各ゴンドラ懸垂用ワイヤーロープ８（図２参照）を取付けるためのワイヤーロープ穴が設けられている。これにより、ゴンドラ懸垂用ワイヤーロープ８を配設するための新たな部材を昇降路２内に設置しなくて済むので、昇降路２内の足場の設置作業を効率的かつ安価に行うことができる。
【００２０】
図４（ａ）、図４（ｂ）に示すように、各鋼板１１Ｃは、例えば縦の長さ（連結材１１Ｂに沿う方向の長さ）が連結材１１Ｂと同等程度の長さに設定され、横の長さ（受け梁１１Ａに沿う方向の長さ）が受け梁１１Ａを４等分した程度の長さに設定されており、各受け梁１１Ａと各連結材１１Ｂが接続されて形成された四辺形状の中空部分Ａを上方から覆うように、受け梁１１Ａに沿って並列して配置されている。各鋼板１１Ｃのうち受け梁１１Ａ側の両端と各受け梁１１Ａにはボルト１５が締結されることにより、受け梁１１Ａ、連結材１１Ｂ、鋼板１１Ｃ、及び脚部１１Ｄが一体に固定され、作業床部１１は、作業者が鋼板１１Ｃの上面を歩行可能な床構造になっている。なお、鋼板１１Ｃの厚さは、例えば３〜４ｍｍ程度に設定されている。
【００２１】
吊持穴部１２は、例えば昇降路２側から２番目の鋼板１１Ｃに穿設された一対の貫通孔から成り、これらの貫通孔は、各受け梁１１Ａ側へ互いに離隔して配置されている。ストッパー部１３は、例えば図５に示すように、２９階の乗場１Ａの床面のうち乗場１Ａから昇降路２へ通じる出入口２Ａの手前側に一片が固定され、他方の片が床面から上方へ突起したＬ鋼から形成されている。
【００２２】
そして、エレベータ３の据付装置１０は、作業床部１１の昇降路２側の部分が吊持穴部１２を介して乗場１Ａ側から昇降路２側へ吊持された状態で、作業床部１１の乗場１Ａ側の端部をストッパー部１３に当接させ、作業床部１１を乗場１Ａの床と、昇降路２の内側面を形成する躯体の梁２ａとの間に掛け渡すようにしている。
【００２３】
また、エレベータ３の据付装置１０は、図１５に示すように、作業床部１１の床面積よりも大きな面積に設定され、昇降路２の空間部分の横断面を覆うように作業床部１１上に配置された作業台２１と、この作業台２１を作業床部１１に固定する固定部２２とを備えている。
【００２４】
作業台２１は、例えば図１３、図１４に示すように、乗場１Ａから昇降路２へ通じる出入口２Ａから昇降路２の奥側へ向かって離間して配列し、長手方向が出入口２Ａから昇降路２の奥側へ向かう方向と直交する方向（出入口２Ａの幅方向）に沿って鋼板１１Ｃ上に載置された複数の中間梁（一例として、５本の中間梁）２１Ａと、図１５、図１６に示すように、これらの中間梁２１Ａ上に載置され、昇降路２の空間部分の横断面全体を足場とする複数の上床板（一例として、８枚の上床板）２１Ｂとから構成されている。
【００２５】
各中間梁２１Ａは、例えば図１３、図１４に示すように、受け梁１１Ａと同様に、断面の大きさが２００×２００ｍｍ程度に設定され、長さが昇降路２の横寸法（連結材１１Ｂに沿う方向の長さ）よりも若干短く設定されたＨ鋼から成り、各上床板２１Ｂは、例えば図１５、図１６に示すように、鋼板１１Ｃと同様に、厚さが３〜４ｍｍに設定された鋼板から成っている。なお、図示されないが、各上床板２１Ｂには、図２に示す各ガイドレール７等の芯出しを行うためのピアノ線を取付けて垂下させるピアノ線用穴が設けられている。これにより、エレベータ３の据付作業を行う際の利便性を向上させることができる。
【００２６】
固定部２２は、例えば図示されないが、複数のボルトと、各中間梁２１Ａに穿設され、各ボルトの軸部を挿通する複数のボルト挿通孔と、各鋼板１１Ｃに設けられ、各ボルトの軸部が螺合する複数のボルト穴部とを有し、各ボルトが各中間梁２１Ａのボルト挿通孔に挿通した状態で各鋼板１１Ｃのボルト穴部に締結することにより、各中間梁２１Ａが各ボルトによって各鋼板１１Ｃに固定されている。
【００２７】
また、固定部２２は、例えば図１５に示すように、複数のボルト（一例として、一枚の上床板２１Ｂに対して６本のボルト）２２Ａと、図示されないが、各上床板２１Ｂのうち中間梁２１Ａの上方の位置に穿設され、各ボルト２２Ａの軸部を挿通する複数のボルト挿通孔と、各中間梁２１Ａに設けられ、各ボルト２２Ａの軸部が螺合する複数のボルト穴部とを有し、各ボルト２２Ａが各上床板２１Ｂのボルト挿通孔に挿通した状態で各中間梁２１Ａのボルト穴部に締結することにより、各上床板２１Ｂが各ボルト２２Ａによって各中間梁２１Ａに固定されている。
【００２８】
このように構成した第１実施形態に係るエレベータ３の据付装置１０にあっては、例えば以下の手順のようにしてエレベータ３の据付装置１０が組立てられる。
【００２９】
［エレベータの据付装置の組立方法の第１実施形態］
本発明の第１実施形態に係るエレベータ３の据付装置１０の組立方法は、例えば図５に示すように、ストッパー部１３を途中階である２９階の乗場１Ａに設ける第１手順と、図６〜図９に示すように、吊持穴部１２を介して作業床部１１の昇降路２側の部分を乗場１Ａ側から昇降路２側へ吊持する第２手順と、図１０〜図１２に示すように、これらの第１手順及び第２手順が行われた後、作業床部１１の乗場１Ａ側の端部をストッパー部１３に当接させ、作業床部１１を乗場１Ａの床と、昇降路２の内側面を形成する躯体の梁２ａとの間に掛け渡す第３手順と、図１３〜図１６に示すように、昇降路２の空間部分の横断面を覆うように作業台２１を作業床部１１上に配置し、作業台２１を固定部２２で作業床部１１に固定する第４手順とを行うことによりエレベータ３の据付装置１０を組立てる。
【００３０】
具体的には、第１手順では、図５に示すように、作業者は、まずストッパー部１３を２９階の乗場１Ａの床面のうち乗場１Ａから昇降路２へ通じる出入口２Ａの手前側に固定し、乗場１Ａにおいて受け梁１１Ａ、連結材１１Ｂ、鋼板１１Ｃ、及び脚部１１Ｄを用意する。次に、作業者は、受け梁１１Ａ、連結材１１Ｂ、鋼板１１Ｃ、及び脚部１１Ｄを一体に固定することにより、乗場１Ａ上で作業床部１１を組立てた後、２９階の乗場１Ａよりも上方の階、例えば３１階の乗場１Ｂ（図７参照）に揚重機としてのチェーンブロック２５を設置する。
【００３１】
第２手順では、図６、図７に示すように、作業者は、作業床部１１を出入口２Ａ側へ運搬し、チェーンブロック２５のチェーン２５Ａの先端側を作業床部１１の吊持穴部１２に巻き付けて装着する。そして、図８、図９に示すように、作業者は、チェーンブロック２５の巻き上げ操作を行い、チェーン２５Ａを引き上げることにより、作業床部１１が乗場１Ａ側の端部を支点として傾倒し、作業床部１１の昇降路２側の部分が乗場１Ａ側から昇降路２側へ吊持された状態で昇降路２内へ引き込まれる。
【００３２】
第３手順では、図１０に示すように、作業床部１１の乗場１Ａ側の端部（下端部）がストッパー部１３を超えて昇降路２側へ移動すると、作業者は、チェーンブロック２５の巻き上げ操作を停止し、チェーンブロック２５の巻き下げ操作を行い、チェーン２５Ａを徐々に引き下げることにより、傾倒した作業床部１１がストッパー部１３を支点として次第に水平状態へ移行し、図１１、図１２に示すように、作業床部１１の昇降路２側の脚部１１Ｄが梁２ａ上に載置される。これにより、作業床部１１が乗場１Ａの床と梁２ａとの間に掛け渡される。
【００３３】
そして、作業者は、脚部１１Ｄと梁２ａを締結する締結具として、例えば鉄鋼クランプ１６を用い、作業床部１１をストッパー部１３と昇降路２の奥側の内壁面２Ｂとの間に固定する。このようにして、２９階の乗場１Ａから昇降路２の奥側において、出入口２Ａの間口寸法（１２００〜１４００ｍｍ）程度の通路状の足場が完成する。
【００３４】
第４手順では、図１３、図１４に示すように、作業者は、作業床部１１上へ移動した後、５本の中間梁２１Ａを出入口２Ａから昇降路２の奥側へ向かって１つずつ作業床部１１上に載置し、各中間梁２１Ａをボルトで作業床部１１の各鋼板１１Ｃに固定する。そして、図１５、図１６に示すように、作業者は、８枚の上床板２１Ｂを中間梁２１Ａ上に載置し、各上床板２１Ｂを昇降路２の空間部分の横断面全体に敷き詰めた後、各上床板２１Ｂをボルト２２Ａで各中間梁２１Ａに固定する。このようにして、２９階の乗場１Ａから昇降路２の奥側において、昇降路２の空間部分の横断面全体を占める足場が完成する。
【００３５】
このように構成した本発明の第１実施形態に係るエレベータ３の据付装置１０、及びこの据付装置１０の組立方法によれば、作業者は作業床部１１を安全な乗場１側で組立てることができる。さらに、作業者は、作業床部１１の吊持穴部１２にチェーンブロック２５のチェーン２５Ａを装着し、ストッパー部１３を支点としてチェーンブロック２５で乗場１Ａ側から昇降路２側へ吊持することにより、作業床部１１を乗場１Ａの床と梁２ａとの間に掛け渡すようにしているので、昇降路２内へ入らなくても、出入口２Ａの間口寸法程度の通路状の足場を容易に形成することができ、昇降路２内の足場の設置作業を迅速に行うことができる。
【００３６】
すなわち、エレベータ３の据付装置１０の組立方法に係る第１手順〜第３手順において十分な安全性が確保されているので、エレベータ３の据付作業を行うための足場をより安全かつ効率良く設置することができ、昇降路２内の足場の設置作業に対して優れた信頼性を得ることができる。
【００３７】
また、本発明の第１実施形態に係るエレベータ３の据付装置１０、及びこの据付装置１０の組立方法では、作業者は、作業床部１１を足場として利用することにより、第４手順の各中間梁２１Ａと各上床板２１Ｂの設置作業において、安定した姿勢を保つことができるので、これらの設置作業を円滑に行うことができる。そして、各上床板２１Ｂが昇降路２の空間部分の横断面全体に敷き詰められることにより、昇降路２内の足場の面積を拡大できるので、エレベータ３の据付作業に対する安全性を向上させることができる。
【００３８】
［エレベータの据付装置の第２実施形態］
ここで、図１、図２に示すように、２９階の乗場１Ａから昇降路２の奥側へ設置された作業床部１１は、エレベータ３の据付作業を行うための足場として機能するが、２９階よりも上方の階では建物の施工が完了していないので、昇降路２のうち作業床部１１Ａの上方の部分には外部への開口が存在する。そこで、本発明の第２実施形態に係るエレベータ３の据付装置３０は、前述した第１実施形態と同様の構成に加え、昇降路２の開口を塞ぐ養生装置を備えている。この養生装置は、例えば図１７、図１８に示すように、雨水の落下を防ぐ防水シート３５から成っている。
【００３９】
このように構成した第２実施形態に係るエレベータ３の据付装置３０にあっては、例えば以下の手順のようにしてエレベータ３の据付装置３０が組立てられる。
【００４０】
［エレベータの据付装置の組立方法の第２実施形態］
本発明の第２実施形態に係るエレベータ３の据付装置３０の組立方法は、前述した第１実施形態の第１手順〜第４手順の構成に加え、さらに養生装置としての防水シート３５を昇降路２内に敷設する第５手順を行うことによりエレベータ３の据付装置３０を組立てる。
【００４１】
具体的には、図１、図２に示すように、作業者は、例えば２９階より１つ上の階である３０階において、上述と同様の第１手順〜第４手順を行うことにより、２９階に設置した作業床部１１と同様の作業床部３１を３０階の乗場１Ｃから昇降路２内の奥側へ設置する。そして、図１７、図１８に示すように、作業者は、作業床部３１の上面全体に防水シート３５を敷設し、防水シート３５のうち昇降路２の内壁側の端部を粘着テープ等（図示せず）で接着して取付けることにより、エレベータ３の据付装置３０が組立てられる。
【００４２】
このように構成した本発明の第２実施形態に係るエレベータ３の据付装置３０、及びこの据付装置３０の組立方法によれば、上述した第１実施形態と同様の作用効果が得られる他、昇降路２のうち作業床部１１の上方の開口を防水シート３５で塞ぐことができるので、雨水が昇降路２内へ入るのを抑制することができる。また、作業者は、作業床部３１を足場として利用することにより、防水シート３５の敷設作業を作業床部３１上でより安全かつ効率良く行うことができる。
【００４３】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【符号の説明】
【００４４】
１  乗場
１Ａ  乗場（２９階）
１Ｂ  乗場（３１階）
１Ｃ  乗場（３０階）
２  昇降路
２Ａ  出入口
２ａ  躯体の梁
２Ｂ  内壁面
３  エレベータ
１０，３０  据付装置
１１，３１  作業床部
１１Ａ  受け梁
１１Ｂ  連結材
１１Ｃ  鋼板
１１Ｄ  脚部
１２  吊持穴部
１３  ストッパー部
１５  ボルト
２１  作業台
２１Ａ  中間梁
２１Ｂ  上床板
２２Ａ  ボルト
２５  チェーンブロック（揚重機）
２５Ａ  チェーン
３５  防水シート（養生装置）
【図１】
2015157701.tif 000003
【図２】
2015157701.tif 000004
【図３】
2015157701.tif 000005
【図４】
2015157701.tif 000006
【図５】
2015157701.tif 000007
【図６】
2015157701.tif 000008
【図７】
2015157701.tif 000009
【図８】
2015157701.tif 000010
【図９】
2015157701.tif 000011
【図１０】
2015157701.tif 000012
【図１１】
2015157701.tif 000013
【図１２】
2015157701.tif 000014
【図１３】
2015157701.tif 000015
【図１４】
2015157701.tif 000016
【図１５】
2015157701.tif 000017
【図１６】
2015157701.tif 000018
【図１７】
2015157701.tif 000019
【図１８】
2015157701.tif 000020